(57)【特許請求の範囲】
【請求項１】
ガラス連続シートを連続的に送り出すようにしてあるシート送り出しローラのシート送り方向の下流側に、上記ガラス連続シートの表面に上記シート送り方向と直交するシート幅方向に延びる傷を形成するためのスクライバと、
該ガラス連続シートにおける上記スクライバを通過した部分の上記シート送り方向へのシート送り速度を上記シート送り出しローラによるシート送り速度と同じ速度に保持するための送り速度保持ローラと、
上記ガラス連続シートのシート幅方向の複数個所に接触させるためのローラ本体を有する裂き割りローラを順に備え、
上記裂き割りローラの複数のローラ本体は、個別の駆動モータにより周速が制御されてなり、且つ、上記ガラス連続シートのシート幅方向に複数配列すると共に、上記ガラス連続シートの表面側と裏面側とにそれぞれ対向配置して設け、
上記複数のローラ本体は、上記駆動モータの運転の制御により、上記送り速度保持ローラによるガラス連続シートのシート送り速度よりも速い周速で回転駆動すると共に、上記シート幅方向の一端寄りに対向配置したローラ本体の周速が、シート幅方向の他端寄りに対向配置したローラ本体の周速よりも速い周速で同期して回転駆動するように備えてなるものとし、
更に、上記対向配置したローラ本体を、上記ガラス連続シートの表面側と裏面側とにそれぞれ密着させる構成を有すること
を特徴とするガラスシート切断装置。
【請求項２】
ガラス連続シートを、厚みが０．１ｍｍ〜０．３ｍｍのガラス連続シートとした
請求項１記載のガラスシート切断装置。
【発明の詳細な説明】
【技術分野】
【０００１】
本発明は、連続したガラスシートから使用目的に応じたサイズのガラス枚葉シートを切り出すための装置に関するもので、特に、ガラス連続シートに対して引き裂き力を作用させることによりガラス枚葉シートを切り出すようにするガラスシート切断装置に関するものである。
【背景技術】
【０００２】
ディスプレイ用の基板ガラス等に用いるシート状（薄板状）のガラスの製造手法としては、主としてフローティング法（フロート法）及びフュージョン法が用いられている。この種のフローティング法やフュージョン法では、連続したガラスシート（以下、ガラス連続シートと云う）を生産するようにしてある。
【０００３】
そのため、上記フローティング法やフュージョン法で生産されるガラス連続シートは、長手方向の所定間隔個所で切断（分割）して、使用目的に応じたサイズのガラス枚葉シートを切り出す必要がある。
【０００４】
ところで、連続して製板される薄板ガラス（ガラス連続シート）を切断するための手法としては、上記薄板ガラスの切断を望む位置（以下、切断線という）に傷を入れるスクライブを行った後、該薄板ガラスの面に対して垂直な方向に往復動作する押し当て用の部材を備えた折り割り機構を用いて、上記押し当て用の部材を上記薄板ガラスの面に押し当てて、該薄板ガラスに、上記傷を入れた面とは反対の面側に湾曲させるような折り曲げ力を加えることにより、該薄板ガラスを折り割るようにする手法が広く用いられている（たとえば、特許文献１参照）。
【０００５】
なお、ガラス板を切断する手法の１つとして、ガラス板にスクライブにより傷（スクライブ線）を刻設し、該スクライブによる傷に沿う一部領域に、クラック形成手段によりガラス板の表面から裏面に達するクラック基部を形成させた後、引き裂き力発生手段により上記ガラス板にスクライブによる傷を基準とする引き裂き力を作用させ、これにより、上記クラック基部を出発点として上記スクライブによる傷に沿う切断を進行させて該ガラス板の切断、分離を行わせる手法が従来提案されている（たとえば、特許文献２参照）。
【０００６】
又、ガラス板を切断する別の手法として、ガラス板を上流側搬送ベルトと下流側搬送ベルトが連続して設けられた搬送手段で搬送し、ガラス板の切断線（切断位置）にスクライブにより刻設した傷を上記上流側搬送ベルトと下流側搬送ベルトとの間に位置決めした状態で、上記ガラス板における切断線の両側を一対の挟持部で挟持して、上記切断線の位置でガラス板を折るときに、上記上流側搬送ベルトと下流側搬送ベルトを互いに引き離す方向に移動させて、切断面同士の当接を防止すると同時にクラックの進行を助長させるようにする手法が従来提案されている（たとえば、特許文献３参照）。
【先行技術文献】
【特許文献】
【０００７】
【特許文献１】特許第３６３８０４２号公報
【特許文献２】特許第４３７９８０７号公報
【特許文献３】特開平５−１３２３２８号公報
【発明の概要】
【発明が解決しようとする課題】
【０００８】
ところが、近年、上記フローティング法やフュージョン法により、従来よりも厚みが小さい（薄い）ガラス連続シート、たとえば、厚みが０．３ｍｍ以下となるようなガラス連続シートが生産されるようになってきており、この場合、一定量のガラス原料から生産されるガラス連続シートの長さが長くなることに伴って、該ガラス連続シートの生産速度がより高速化される傾向にある。
【０００９】
このように、ガラス連続シートの生産速度が高速化された場合、該ガラス連続シートの切断に上記特許文献１に示されたような折り割り機構による切断手法を適用しようとすると、以下のような問題がある。
【００１０】
すなわち、上記折り割り機構では、ガラス連続シートを折り割るためには、該ガラス連続シートの面に押し当てて折り曲げ力を付与するための押し当て用の部材を、該ガラス連続シートの面に対して垂直な方向に往復動作させる必要がある。したがって、上記のようなガラス連続シートの生産速度の高速化に対応するためには、上記押し当て用の部材の往復動作の高速化が必要とされるが、このような往復動作を、上記ガラス連続シートに付与する折り曲げ力を安定させた状態に保持したまま高速化させることは困難である。
【００１１】
そのために、上記特許文献１に示されたような従来の折り割り機構による切断手法は、ガラス連続シートからのガラス枚葉シートの切り出しの高速化に対応するのは難しいというのが実状である。
【００１２】
なお、特許文献２に示されたガラス板の切断手法は、ガラス板にスクライブによる傷を基準とする引き裂き力を作用させるための引き裂き力発生手段を用いるようにしてあるが、この引き裂き力発生手段は、上記ガラス板の面に対して垂直な方向に往復移動できるようにしてある二本のロッドからなる押動部材を、上記ガラス板の傷を入れた面とは反対側の面における上記傷の両側となる個所に押し付けるようにしてある。又、上記ガラス板の傷に沿う一部領域にガラス板の表面から裏面に達するクラック基部を形成させるためのクラック形成手段も、上記ガラス板の面に対して垂直な方向に往復移動できるようにしてある二本のロッドからなる押圧部材を備えた構成としてある。
【００１３】
よって、上記特許文献２に示されたガラス板の切断手法によるガラス板の切断速度を高速化させるには、上記押動部材や押圧部材の往復動作の高速化が必要になる。
【００１４】
しかも、上記特許文献２に示されたガラス板の切断手法は、ガラス板を、切断線が上下方向に配置されるようにした姿勢で吊り下げ支持する必要があるため、前述のフローティング法やフュージョン法で生産されるガラス連続シートからのガラス枚葉シートの切り出しに対応させることは難しい。
【００１５】
特許文献３に示されたガラス板の切断手法は、基本的にはガラス板を折り割る手法であり、該ガラス板を折る操作を実施する毎に、ガラス板の搬送手段に備えた上流側搬送ベルトと下流側搬送ベルトのうちのいずれか一方を回動方向に往復動作させる必要がある。
【００１６】
よって、上記特許文献３に示されたガラス板の切断手法によるガラス板の切断速度を高速化させるには、上記上流側搬送ベルトと下流側搬送ベルトのうちのいずれか一方の回動方向への往復動作の高速化が必要になる。
【００１７】
しかも、上記特許文献３には、上記ガラス板を折るときに、該ガラス板の搬送手段に備えた上流側搬送ベルトと下流側搬送ベルトを互いに引き離す方向に移動させる考えは示されているが、該各搬送ベルトの駆動によって折り割られたガラス板の分割片同士を引き離す考えは全く示唆されていない。
【００１８】
そこで、本発明は、ガラス連続シートよりガラス枚葉シートを切り出すことができると共に、該ガラス連続シートに対してガラス枚葉シートを切り出すための力を付与する部材の往復動作を不要にできて、上記ガラス連続シートからのガラス枚葉シートの切り出しの高速化を図ることができるガラスシート切断装置を提供しようとするものである。
【課題を解決するための手段】
【００１９】
本発明は、上記課題を解決するために、請求項１に対応して、ガラス連続シートを連続的に送り出すようにしてあるシート送り出しローラのシート送り方向の下流側に、上記ガラス連続シートの表面に上記シート送り方向と直交するシート幅方向に延びる傷を形成するためのスクライバと、該ガラス連続シートにおける上記スクライバを通過した部分の上記シート送り方向へのシート送り速度を上記シート送り出しローラによるシート送り速度と同じ速度に保持するための送り速度保持ローラと、上記ガラス連続シートのシート幅方向の複数個所に接触させるためのローラ本体を有する裂き割りローラを順に備え、上記裂き割りローラの複数のローラ本体は、個別の駆動モータにより周速が制御されてなり、且つ、上記ガラス連続シートのシート幅方向に複数配列すると共に、上記ガラス連続シートの表面側と裏面側とにそれぞれ対向配置して設け、上記複数のローラ本体は、上記駆動モータの運転の制御により、上記送り速度保持ローラによるガラス連続シートのシート送り速度よりも速い周速で回転駆動すると共に、上記シート幅方向の一端寄りに対向配置したローラ本体の周速が、シート幅方向の他端寄りに対向配置したローラ本体の周速よりも速い周速で同期して回転駆動するように備えてなるものとし、更に、上記対向配置したローラ本体を、上記ガラス連続シートの表面側と裏面側とにそれぞれ密着させる構成を有するガラスシート切断装置とする。
【００２０】
又、上記構成において、ガラス連続シートを、厚みが０．１ｍｍ〜０．３ｍｍのガラス連続シートとした構成とする。
【発明の効果】
【００２１】
本発明のガラスシート切断装置によれば、以下のような優れた効果を発揮する。
（１）ガラス連続シートを連続的に送り出すようにしてあるシート送り出しローラのシート送り方向の下流側に、上記ガラス連続シートの表面に上記シート送り方向と直交するシート幅方向に延びる傷を形成するためのスクライバと、該ガラス連続シートにおける上記スクライバを通過した部分の上記シート送り方向へのシート送り速度を上記シート送り出しローラによるシート送り速度と同じ速度に保持するための送り速度保持ローラと、上記ガラス連続シートのシート幅方向の複数個所に接触させるためのローラ本体を有する裂き割りローラを順に備え、上記裂き割りローラの複数のローラ本体は、個別の駆動モータにより周速が制御されてなり、且つ、上記ガラス連続シートのシート幅方向に複数配列すると共に、上記ガラス連続シートの表面側と裏面側とにそれぞれ対向配置して設け、上記複数のローラ本体は、上記駆動モータの運転の制御により、上記送り速度保持ローラによるガラス連続シートのシート送り速度よりも速い周速で回転駆動すると共に、上記シート幅方向の一端寄りに対向配置したローラ本体の周速が、シート幅方向の他端寄りに対向配置したローラ本体の周速よりも速い周速で同期して回転駆動するように備えてなるものとし、更に、上記対向配置したローラ本体を、上記ガラス連続シートの表面側と裏面側とにそれぞれ密着させる構成としてあるので、ガラス連続シートにおけるスクライバで傷を形成した個所が、送り速度保持ローラと裂き割りローラとの間に配置されるときに、上記送り速度保持ローラによるシート送り速度と、上記裂き割りローラの各ローラ本体の周速との速度差に基づいて上記ガラス連続シートに作用する張力を、該傷の形成個所に応力集中させて、該ガラス連続シートを、該傷の形成個所で分割してガラス枚葉シートを切り出すことができる。これにより、上記ガラス連続シートからのガラス枚葉シートの切り出しを連続的に行うことができる。
（２）上記ガラス連続シートからガラス枚葉シートを切り出すための力の付与は、上記送り速度保持ローラによるシート送り速度と、上記裂き割りローラの各ローラ本体の周速との速度差に基づく張力で実現できるため、上記ガラス連続シートに対して折り曲げ力を付与する必要をなくすことができる。このため、ガラス連続シートに折り曲げ力を付与するために従来必要とされていた該ガラス連続シートの面に対して垂直な方向へ往復動作させる部材を不要にすることができる。
（３）よって、本発明のガラスシート切断装置では、上記ガラス連続シートからのガラス枚葉シートの切り出しの高速化を図ることができる。
【図面の簡単な説明】
【００２２】
【図１】本発明のガラスシート切断装置の実施の一形態を示すもので、（ａ）は切断線の個所の切断前の状態を示す概略平面図、（ｂ）は切断線の個所を引き裂いて切断するときの状態を示す概略平面図である。
【図２】図１の装置の概略側面図である。
【図３】図１の装置における裂き割りローラの詳細を示すもので、（ａ）は側面図、（ｂ）は（ａ）のＡ−Ａ方向矢視図である。
【発明を実施するための形態】
【００２３】
以下、本発明を実施するための形態を図面を参照して説明する。
【００２４】
図１（ａ）（ｂ）乃至図３（ａ）（ｂ）は本発明のガラスシート切断装置の実施の一形態を示すもので、以下のようにしてある。
【００２５】
すなわち、本発明のガラスシート切断装置は、フローティング法やフュージョン法により連続生産されるガラス連続シート１、又は、上記フローティング法やフュージョン法により生産されたガラス連続シート１を予め巻き取って形成した図１（ａ）（ｂ）及び図２に示す如きロール２より繰り出されるガラス連続シート１を、所定のシート送り速度ＶＬで連続的に送り出すためのシート送り出しローラ３を備える。
【００２６】
ここで、本明細書では、上記シート送り出しローラ３により送り出されるガラス連続シート１の移動方向に沿う方向を、シート送り方向ｘ（図１（ａ）（ｂ）、図２、図３（ａ）参照）と云うものとする。又、該シート送り方向ｘと直交する方向を、シート幅方向ｙ（図１（ａ）（ｂ）、図３（ｂ）参照）と云うものとする。
【００２７】
上記シート送り出しローラ３により連続的に送り出されるガラス連続シート１については、予め、切り出しを所望するガラス枚葉シート４のサイズに応じたシート送り方向ｘの所定間隔位置毎に、シート幅方向ｙに延びる図１（ａ）に二点鎖線で示す如き切断線（切断位置）５が設定してあるものとする。
【００２８】
上記シート送り出しローラ３のシート送り方向ｘの下流側には、上記ガラス連続シート１の表面に、該ガラス連続シート１に設定してある上記切断線５に沿って傷を付ける機能を備えたスクライバ６を設ける。
【００２９】
上記スクライバ６のシート送り方向ｘの下流側には、該スクライバ６により切断線５に沿う傷が付けられた上記ガラス連続シート１のシート送り方向ｘへのシート送り速度ＶＬを、上記シート送り出しローラ３によるシート送り速度ＶＬと同じ速度に保持するための送り速度保持ローラ７を設ける。
【００３０】
更に、上記送り速度保持ローラ７のシート送り方向ｘの下流側には、上記ガラス連続シート１の幅方向の複数個所に接触させるための複数のローラ本体、たとえば、図１に示すように、上記ガラス連続シート１におけるシート幅方向ｙの両端寄りの２個所に接触させるための２つのローラ本体９Ｌ，９Ｒを備えた裂き割りローラ８を設ける。該裂き割りローラ８は、上記シート幅方向ｙに配列された上記複数のローラ本体９Ｌ，９Ｒを、上記送り速度保持ローラ７によるシート送り速度ＶＬよりも速い周速で、且つ上記シート幅方向ｙの一端寄りのローラ本体９Ｌの周速ＶＨが、シート幅方向ｙの他端寄りのローラ本体９Ｒの周速ＶＭよりも速くなるように、すなわち、ＶＨ＞ＶＭ＞ＶＬの条件を満たすように回転駆動可能に備えてなる構成とする。
【００３１】
詳述すると、本発明のガラスシート切断装置は、ガラス連続シート１として、その厚みが従来よりも小さい（薄い）、０．１ｍｍ〜０．３ｍｍとなるガラス連続シート１を主たる処理対象としてある。これは、ガラス連続シート１の厚みが０．１ｍｍ未満になると、スクライバ６で傷を形成した段階で上記シート送り出しローラ３と送り速度保持ローラ７の周速の誤差に起因する程度の小さい張力の変動によっても上記傷の部分でのクラックの進行が生じる可能性があるためであり、一方、ガラス連続シート１の厚みが０．３ｍｍを超えると、スクライバ６で形成する傷の深さの該ガラス連続シート１の厚みに対する比が小さくなり易いため、後述するようなガラス連続シート１に対して作用させる張力を上記傷に応力集中させても、該傷の個所を裂くように分割させるのが難しくなるためである。
【００３２】
上記シート送り出しローラ３は、ガラス連続シート１におけるシート幅方向ｙの複数個所、たとえば、シート幅方向ｙ両端寄りの２個所に対応する位置に、該ガラス連続シート１の表面（上面）と裏面（下面）にそれぞれ接触させるためのローラ本体１０を、該ガラス連続シート１を挟むように上下方向に並べて配置してある。
【００３３】
更に、上記シート送り出しローラ３は、図示しないが、上記ガラス連続シート１の表面側に配置された各ローラ本体１０と、ガラス連続シート１の裏面側に配置された各ローラ本体１０を、該各ローラ本体１０のガラス連続シート１に接する側がシート送り方向ｘへ移動するようになる所定の回転方向へ、該各ローラ本体１０の周速が上記シート送り速度ＶＬに一致するようになる回転速度で、同期して回転駆動するための駆動装置を備えた構成としてある。
【００３４】
なお、上記シート送り出しローラ３の駆動装置としては、上記各ローラ本体１０を上記所定の回転方向、回転速度で同期して回転駆動できるようにしてあれば、たとえば、上記各ローラ本体１０に個別の駆動モータを接続して該各駆動モータの運転を制御するようにした構成、あるいは、ガラス連続シート１の表面側に配置されたローラ本体１０同士、及び、ガラス連続シート１の裏面側に配置されたローラ本体１０同士を、それぞれシート幅方向ｙに延びる動力伝達軸で接続すると共に、該各動力伝達軸に個別の駆動モータを接続して、該各駆動モータの運転を制御するようにした構成等、いかなる形式の駆動装置を採用してもよい。
【００３５】
又、図示してないが、上記シート送り出しローラ３には、上記ガラス連続シート１の表面側に配置されたローラ本体１０と、上記ガラス連続シート１の裏面側に配置されたローラ本体１０を、それぞれ上記ガラス連続シート１の表面と裏面に密着させる方向に付勢するための付勢手段を備えてなる構成としてあるものとする。なお、上記図示しない付勢手段における付勢力の付与形式は、ばねやアクチュエータの伸縮力、又は、部材の重量等を利用する等、任意の形式を採用してよいことは勿論である。これにより、上記ガラス連続シート１の表面側と裏面側の各ローラ本体１０の間に上記ガラス連続シート１を配置した状態とすると、該上下のローラ本体１０を上記ガラス連続シート１の表面側と裏面側からそれぞれ密着させて挟むことができ、よって、該各ローラ本体１０と、上記ガラス連続シート１との滑りを防止することができるようにしてある。
【００３６】
したがって、上記構成としてあるシート送り出しローラ３によれば、ガラス連続シート１の表面側に配置された各ローラ本体１０と、ガラス連続シート１の裏面側に配置された各ローラ本体１０の間に、上記ロール２より繰り出したガラス連続シート１を挟んだ状態で、上記図示しない駆動装置を運転して、上記各ローラ本体１０を、上記所定の回転方向、回転速度で同期して回転駆動することにより、上記ガラス連続シート１を、シート送り方向ｘの下流側へ上記シート送り速度ＶＬで連続的に送り出すことができるようにしてある。
【００３７】
上記スクライバ６は、上記シート送り方向ｘに対して傾斜角θで斜め方向に延びるガイドレール１１が、上記ガラス連続シート１の上方を跨ぐように設置してある。更に、上記ガイドレール１１に沿ってシート幅方向ｙに走行（往復動）可能にしてあるガイドブロック１２に、カッター又はレーザー等によりガラス表面に傷を付けることができるようにしてあるスクライバ本体１３が下向きに取り付けられた構成としてある。
【００３８】
更に、上記スクライバ本体１３が取り付けてあるガイドブロック１２は、上記ガイドレール１１の一端側から他端側、すなわち、シート送り方向ｘに傾斜して配置してあるガイドレール１１のシート送り方向ｘの上流側に位置する一端側から、シート送り方向ｘの下流側に位置する他端側へ該ガイドレール１１に沿って走行させるときの速度ｖを、上記シート送り速度ＶＬに（ｖ・ｃｏｓθ）が一致するように設定してある。これにより、上記ガイドレール１１の一端側から他端側へ上記速度ｖで走行する上記ガイドブロック１２に取り付けられた上記スクライバ本体１３は、シート送り方向ｘへ、上記シート送り出しローラ３により連続的に送り出されるガラス連続シート１のシート送り速度ＶＬに同期した移動速度で移動させることができるようにしてある。
【００３９】
よって、上記ガラス連続シート１にシート幅方向ｙに延びるよう設定された切断線５の一端側が、上記ガイドレール１１の一端寄りにガイドブロック１２と共に待機させたスクライバ本体１３の下方に達したときに、スクライバ本体１３が取り付けてある上記ガイドブロック１２を、上記ガイドレール１１の一端側から他端側へ速度ｖでの走行を開始させると共に、上記スクライバ本体１３により、その真下に位置する上記ガラス連続シート１の表面に傷を付けるようにすることで、該ガラス連続シート１の表面に、シート幅方向ｙに延びる切断線５に沿って傷を付けることができるようにしてある。
【００４０】
ところで、前述したように、本発明のガラスシート切断装置は、厚みが従来よりも小さい（薄い）、０．１ｍｍ〜０．３ｍｍとなるガラス連続シート１を主たる処理対象としている。このために、上記スクライバ６にて上記ガラス連続シート１の表面に付ける傷の深さが、従来一般的に用いられているスクライバによりガラス表面に付ける傷の深さと同様であるとしても、上記ガラス連続シート１の厚みに対する上記スクライバ６により形成する傷の深さの比は、従来よりも大となる。
【００４１】
このように、本発明のガラスシート切断装置では、上記ガラス連続シート１の厚みに対する上記スクライバ６により形成する傷の深さの比を、従来に比して大とすることで、後述するように、ガラス連続シート１に折り曲げ力を付与する処理を要することなく、ガラス連続シート１における上記スクライバ６で形成した傷の両側に互いに引き離す方向への張力を作用させることのみで、該傷の部分で該ガラス連続シート１を裂くように分割できて、該ガラス連続シート１からのガラス枚葉シート４の切り出しを実現できるようにしてある。
【００４２】
なお、上記ガラス連続シート１が化学強化ガラスである場合は、上記スクライバ６にて該ガラス連続シート１の表面に切断線５に沿って傷を付けるときに、化学強化ガラスにおけるガラス表面の強化層（圧縮応力層）を貫通する深さの傷を形成するようにしてあるものとする。
【００４３】
上記送り速度保持ローラ７は、上記シート送り出しローラ３と同様の構成としてある。
【００４４】
すなわち、該送り速度保持ローラ７は、ガラス連続シート１におけるシート幅方向ｙの複数個所、たとえば、シート幅方向ｙ両端寄りの２個所に対応する位置に、該ガラス連続シート１の表面（上面）と裏面（下面）にそれぞれ接触させるためのローラ本体１０と、該各ローラ本体１０を所定の回転方向へ、所定の回転速度で同期して回転駆動するための図示しない駆動装置と、上記ガラス連続シート１の表面側と裏面側に配置された各ローラ本体１０を、それぞれ上記ガラス連続シート１の表面と裏面に密着させる方向に付勢するための図示しない付勢手段を備えた構成としてある。
【００４５】
これにより、上記送り速度保持ローラ７では、上記ガラス連続シート１におけるスクライバ６を通過した部分を、該ガラス連続シート１の表面側と裏面側に配置された各ローラ本体１０の間に挟んだ状態で、上記図示しない駆動装置の運転により、上記各ローラ本体１０を、上記所定の回転方向、回転速度で同期して回転駆動した状態とすることにより、該各ローラ本体１０とガラス連続シート１との滑りを防いだ状態で、該ガラス連続シート１の切断線５に沿う傷が付けられた部分のシート送り速度ＶＬを、上記シート送り出しローラ３により送り出される上記ガラス連続シート１のシート送り速度ＶＬと一致した速度に保持できるようにしてある。
【００４６】
上記裂き割りローラ８は、図３（ａ）（ｂ）に示すように、ガラス連続シート１のシート幅方向ｙの両端縁部と対応する位置に、上記ローラ本体９Ｌを備えたローラユニット１４Ｌと、ローラ本体９Ｒを備えたローラユニット１４Ｒを、それぞれ該ガラス連続シート１を挟んで、その表面側と裏面側に配置されるように２台ずつ設けた構成としてある。
【００４７】
上記各ローラユニット１４Ｌ，１４Ｒは、個別の支持フレーム１５を備えている。この各支持フレーム１５には、対応するローラ本体９Ｌ，９Ｒが、該各ローラ本体９Ｌ，９Ｒの回転軸１６を回転自在に保持するブラケット１７を介して取り付けてある。更に、上記支持フレーム１５には、軸心方向が上記ローラ本体９Ｌ，９Ｒと平行となるように配置した個別の駆動モータ１８を設置し、該駆動モータ１８の出力軸１９と、上記ローラ本体９Ｌ，９Ｒの回転軸１６との間に、動力伝達機構２０を設けた構成としてある。
【００４８】
上記動力伝達機構２０は、たとえば、上記ブラケット１７の外側に突出させた上記ローラ本体９Ｌ，９Ｒの回転軸１６の一端側に取り付けたプーリ２１と、上記駆動モータ１８の出力軸１９に取り付けたプーリ２２と、該各プーリ２１，２２同士の間に掛け回した無端状のベルト２３とからなる構成としてある。これにより、上記駆動モータ１８の運転時には、その出力軸１９より出力される回転駆動力を、プーリ２２とベルト２３とプーリ２１を介して上記ローラ本体９Ｌ，９Ｒの回転軸１６へ伝達して、該ローラ本体９Ｌ，９Ｒを回転駆動できるようにしてあり、この際、上記駆動モータ１８の回転数を制御することで、上記回転駆動されるローラ本体９Ｌ，９Ｒの周速を制御できるようにしてある。
【００４９】
上記ローラユニット１４Ｌ，１４Ｒにおける動力伝達機構２０は、ガラス連続シート１やガラス枚葉シート４に作用する衝撃を抑制するという観点から考えると、上記ベルト２３とプーリ２１，２２からなる機構とすることが好適である。なお、上記動力伝達機構２０は、上記駆動モータ１８の出力軸１９より出力される回転駆動力を、対応するローラ本体９Ｌ，９Ｒへ伝達して該ローラ本体９Ｌ，９Ｒを回転駆動することができるようにしてあれば、たとえば、図示してないが、上記各軸１６，１９に取り付けた個別のスプロケット同士の間に無端状のチェーンを掛け回した構成や、上記各軸に取り付けたギア同士の間で直接、あるいは、中間ギアやシャフトを介して回転駆動力を伝達するようにした構成等、図３（ａ）（ｂ）に示した以外のいかなる構成の動力伝達機構２０を採用するようにしてもよい。
【００５０】
なお、図示してないが、上記各ローラユニット１４Ｌ，１４Ｒは、上記所定位置に配置した状態で支持部材に支持させると共に、上記ガラス連続シート１の表面側に配置された各ローラユニット１４Ｌ，１４Ｒと、上記ガラス連続シート１の裏面側に配置された各ローラユニット１４Ｌ，１４Ｒを、それぞれ上記ガラス連続シート１の表面と裏面に近接させる方向に付勢するための付勢手段を備えてなる構成としてあるものとする。なお、上記図示しない付勢手段における付勢力の付与形式は、ばねやアクチュエータの伸縮力、又は、部材の重量等を利用する等、任意の形式を採用してよいことは勿論である。これにより、上記ガラス連続シート１の表面側と裏面側に、上記各ローラユニット１４Ｌ，１４Ｒの各ローラ本体９Ｌ，９Ｒをそれぞれ密着させて、該各ローラ本体９Ｌ，９Ｒと、上記ガラス連続シート１との滑りを抑えることができるようにしてある。
【００５１】
更に、上記裂き割りローラ８は、上記各ローラユニット１４Ｌ，１４Ｒの各駆動モータ１８の運転を制御する制御装置２４を備えた構成としてある。
【００５２】
上記制御装置２４は、上記各ローラユニット１４Ｌ，１４Ｒの駆動モータ１８の運転を制御して、上記２台一組のローラユニット１４Ｌについては、各ローラ本体９Ｌを、該各ローラ本体９Ｌのガラス連続シート１に接する側がシート送り方向ｘへ移動するようになる所定の回転方向へ、該各ローラ本体９Ｌの周速が前述した周速ＶＨとなる回転速度で同期して回転駆動し、同時に、上記２台一組のローラユニット１４Ｒについては、各ローラ本体９Ｒを、該各ローラ本体９Ｒのガラス連続シート１に接する側がシート送り方向ｘへ移動するようになる所定の回転方向へ、該各ローラ本体９Ｒの周速が前述した周速ＶＭとなる回転速度で同期して回転駆動する機能を備えるようにしてある。
【００５３】
したがって、以上の構成としてある裂き割りローラ８では、上記制御装置２４により上記各ローラユニット１４Ｌ，１４Ｒの駆動モータ１８の運転を制御して、上記２台一組のローラユニット１４Ｌのローラ本体９Ｌを上記所定の回転方向へ周速ＶＨとなる回転速度で同期して回転駆動し、且つ上記２台一組のローラユニット１４Ｒのローラ本体９Ｒを上記所定の回転方向へ周速ＶＭとなる回転速度で同期して回転駆動した状態とすると、上記送り速度保持ローラ７よりシート送り方向ｘへシート送り速度ＶＬで送り出されるガラス連続シート１の先端部が、該裂き割りローラ８に達した時点で、該ガラス連続シート１のシート幅方向ｙの一端寄りの部分を、上記各ローラユニット１４Ｌのローラ本体９Ｌ同士の間に受け入れて挟み、一方、該ガラス連続シート１のシート幅方向ｙの他端寄りの部分を、上記各ローラユニット１４Ｒのローラ本体９Ｒ同士の間に受け入れて挟むことができるようにしてある。
【００５４】
更に、上記裂き割りローラ８では、上記各ローラユニット１４Ｌのローラ本体９Ｌが周速ＶＨになるように回転駆動され、又、上記各ローラユニット１４Ｒのローラ本体９Ｒが周速ＶＭになるように回転駆動されていることに伴って、上記各ローラユニット１４Ｌのローラ本体９Ｌ同士の間に挟まれている上記ガラス連続シート１のシート幅方向ｙの一端寄りの部分に対しては、該各ローラ本体９Ｌの周速ＶＨに一致した速度でシート送り方向ｘの下流側へ向けて送るための力を付与できるようにしてあると共に、上記各ローラユニット１４Ｒのローラ本体９Ｒ同士の間に挟まれている上記ガラス連続シート１のシート幅方向ｙの他端寄りの部分に対しては、該各ローラ本体９Ｒの周速ＶＭに一致した速度でシート送り方向ｘの下流側へ向けて送るための力を付与できるようにしてある。
【００５５】
これにより、図１（ａ）に示すように、上記スクライバ６にて切断線５に沿って傷を付けた状態のガラス連続シート１が、上記送り速度保持ローラ７によりシート送り方向ｘの下流側へ順次シート送り速度ＶＬで送り出されている状態で、その後、図１（ｂ）に示すように、上記ガラス連続シート１における傷を付けた切断線５の部分が、上記送り速度保持ローラ７と上記裂き割りローラ８との間に配置されるようになると、該ガラス連続シート１における上記切断線５よりも基端寄りの部分は、上記送り速度保持ローラ７によりシート送り方向ｘへの移動速度が上記所定のシート送り速度ＶＬに保持されるのに対し、該ガラス連続シート１における上記切断線５よりも先端寄りの部分に対しては、上記裂き割りローラ８にて、いずれも上記シート送り速度ＶＬよりも大となるローラユニット１４Ｌのローラ本体９Ｌの周速ＶＨ、及び、ローラユニット１４Ｒのローラ本体９Ｒの周速ＶＭで該部分をシート送り方向ｘの下流側へ送る力が付与される。
【００５６】
更に、この際、上記ガラス連続シート１における上記切断線５よりも先端寄りの部分のシート幅方向ｙの一端寄りの部分に対してローラユニット１４Ｌのローラ本体９Ｌより該ローラ本体９Ｌの周速ＶＨに応じて付与されるシート送り方向ｘの下流側へ送る力は、上記ガラス連続シート１における上記切断線５よりも先端寄りの部分のシート幅方向ｙの他端寄りの部分に対してローラユニット１４Ｒのローラ本体９Ｒより該ローラ本体９Ｒの周速ＶＭに応じて付与されるシート送り方向ｘの下流側へ送る力よりも大となる。
【００５７】
したがって、上記ガラス連続シート１が、上記送り速度保持ローラ７と裂き割りローラ８の双方に接している場合は、該ガラス連続シート１における、上記送り速度保持ローラ７と裂き割りローラ８との間に配置されている部分に、シート送り方向ｘに沿う方向の張力が作用するようになる。
【００５８】
この状態で、上記ガラス連続シート１のシート送り方向ｘへの移動に伴って、該ガラス連続シート１における上記スクライバ６で切断線５に沿って傷を付けた部分が、上記送り速度保持ローラ７と上記裂き割りローラ８との間に配置されるようになると、該各ローラ７，８間で上記ガラス連続シート１に作用していた張力が、該ガラス連続シート１における上記傷を付けた部分で応力集中を起こすようになる。更に、この際、上記裂き割りローラ８におけるシート幅方向ｙに配列されたローラ本体９Ｌと９Ｒの周速ＶＨとＶＭとの速度差に起因して、上記ガラス連続シート１の切断線５に沿って傷を付けた部分に対しては、シート幅方向ｙの一端側に、他端側よりも大きな応力集中が生じるようになる。
【００５９】
よって、上記ガラス連続シート１の上記切断線５に沿う傷を付けた部分では、上記した応力集中により該傷のシート幅方向ｙの一端部を起点とするクラックが生じると共に、該クラックが上記傷に沿ってシート幅方向ｙの他端側へ成長させられるようになり、このクラックが、該ガラス連続シート１におけるシート幅方向ｙの全長に亘って生じることで、該ガラス連続シート１が上記切断線５に沿う位置で裂くように分割されて、この分割された上記切断線５よりも先端側に位置していた部分が、ガラス枚葉シート４として切り出されるようにしてある。
【００６０】
なお、上記裂き割りローラ８における上記ガラス連続シート１のシート幅方向ｙの一端寄りの部分に接触させるローラユニット１４Ｌのローラ本体９Ｌの周速ＶＨと、上記ガラス連続シート１のシート幅方向ｙの他端寄りの部分に接触させるローラユニット１４Ｒのローラ本体９Ｒの周速ＶＭとの速度差、及び、上記各周速ＶＨ，ＶＭと、上記送り速度保持ローラ７によるガラス連続シート１のシート送り速度ＶＬとの速度差は、上記ガラス連続シート１の切断線５に沿って上記スクライバ６で付けた傷の部分について、該傷のシート幅方向ｙの一端部を起点としてクラックを発生させることができると共に、該クラックを上記傷に沿ってシート幅方向ｙの他端側へ成長させることができて、上記ガラス枚葉シート４を実際に切り出す作用が得られるように、予備実験等に基づいて定めるようにすればよい。
【００６１】
又、上記裂き割りローラ８にて、上記ローラユニット１４Ｌのローラ本体９Ｌの周速ＶＨと、上記ローラユニット１４Ｒのローラ本体９Ｒの周速ＶＭとの速度差は、実際には、それほど大きくしなくても、上記ガラス連続シート１における切断線５に沿って傷を付けた部分に対して、クラックをシート幅方向ｙの一端側より他端側へ成長させる作用を与えることができる。そのため、上記ローラ本体９Ｌの周速ＶＨと、ローラ本体９Ｒの周速ＶＭとの速度差に起因して発生する上記ガラス連続シート１より切り出されたガラス枚葉シート４の姿勢のシート送り方向ｘからの傾きは、実際には微小に抑えることができる。これに対し、図１（ｂ）では、図示する便宜上、上記ガラス連続シート１より切り出されたガラス枚葉シート４の姿勢のシート送り方向ｘからの傾きを拡大して示してある。
【００６２】
上記裂き割りローラ８のシート送り方向ｘの下流側には、図１（ａ）（ｂ）に示すように、該裂き割りローラ８の部分で上記したようにガラス連続シート１より切り出されるガラス枚葉シート４を予め設定された所定個所へ向けて搬送するための搬出手段として、たとえば、コロコンベヤ２５が設けてある。該コロコンベヤ２５におけるガラス枚葉シート４の搬送速度は、上記裂き割りローラ８におけるローラユニット１４Ｌのローラ本体９Ｌの周速ＶＨよりも速くなるように設定してあるものとする。これにより、上記裂き割りローラ８により切り出されるガラス枚葉シート４が、前回切り出されて上記コロコンベヤ２５によって搬送されるガラス枚葉シート４に接触する虞が生じないようにしてある。
【００６３】
なお、上記したように、上記ガラス連続シート１よりガラス枚葉シート４を切り出す際には、上記裂き割りローラ８におけるローラユニット１４Ｌのローラ本体９Ｌの周速ＶＨと、ローラユニット１４Ｒのローラ本体９Ｒの周速ＶＭとの速度差に起因して、上記切り出されるガラス枚葉シート４の姿勢が、シート送り方向ｘより傾くようになる。
【００６４】
この点に鑑みて、上記ガラス枚葉シート４を払い出す際に、該ガラス枚葉シート４の姿勢のシート送り方向ｘからの傾きを修正する必要がない場合は、上記コロコンベヤ２５によりそのまま払い出すようにすればよい。
【００６５】
一方、ガラス枚葉シート４を払い出す際に、該ガラス枚葉シート４の姿勢のシート送り方向ｘからの傾きを修正する必要がある場合は、たとえば、図１（ａ）（ｂ）に示すように、上記コロコンベヤ２５の側方に姿勢補正ガイド２６を装備して、該コロコンベヤ２５により搬送される上記ガラス枚葉シート４を、該姿勢補正ガイド２６に沿わせてガイドすることにより、該ガラス枚葉シート４の姿勢を、上記シート送り方向ｘに一致するように補正させるようにすればよい。
【００６６】
なお、上記コロコンベヤ２５の側方に姿勢補正ガイド２６を装備する構成に代えて、上記裂き割りローラ８のシート送り方向ｘの下流側の近傍位置にあるコロコンベヤ２５について、シート幅方向ｙの一端寄りのコロの回転駆動速度に比して、シート幅方向ｙの他端寄りのコロの回転駆動速度を高く設定する構成を採用して、上記裂き割りローラ８のシート送り方向ｘの下流側の近傍位置にあるコロコンベヤ２５により搬送させるときに、上記ガラス枚葉シート４の姿勢を、上記シート送り方向ｘに一致するように補正させるようにしてもよい。
【００６７】
なお、上記ガラス連続シート１のロール２、シート送り出しローラ３、スクライバ６、送り速度保持ローラ７、裂き割りローラ８、コロコンベヤ２５は、いずれも架台等の図示しない支持手段により支持させてあるものとする。
【００６８】
以上の構成としてある本発明のガラスシート切断装置を使用する場合は、上記シート送り出しローラ３、及び、送り速度保持ローラ７を運転して、該シート送り出しローラ３、及び、送り速度保持ローラ７により、ガラス連続シート１をシート送り方向ｘへ所定のシート送り速度ＶＬで連続的に送るようにする。
【００６９】
又、上記裂き割りローラ８にて、シート幅方向ｙの一端寄りに装備してあるローラ本体９Ｌと、シート幅方向ｙの他端寄りに装備してあるローラ本体９Ｒを、それぞれ前述した所定の周速ＶＨとＶＭで回転駆動させるようにしておく。
【００７０】
この状態で、上記ロール２より繰り出されて上記シート送り出しローラ３によってシート送り方向ｘへ送られるガラス連続シート１における予め設定してある切断線５の個所が、スクライバ６まで送られると、該スクライバ６により、上記切断線５に沿ってガラス表面に傷が形成される。
【００７１】
その後、上記シート送り出しローラ３によるガラス連続シート１のシート送り方向ｘへの連続的な送り出しに伴って、該ガラス連続シート１における上記切断線５に沿う傷を形成した個所が、上記送り速度保持ローラ７まで送られた後に、該送り速度保持ローラ７と上記裂き割りローラ８との間に配置されるようになると、該ガラス連続シート１は、上記傷が形成してあった切断線５の個所で裂くように分割されて、該ガラス連続シート１の上記切断線５よりも先端側に位置していた部分が、ガラス枚葉シート４として切り出される。
【００７２】
上記のようにしてガラス連続シート１より切り出されたガラス枚葉シート４は、上記裂き割りローラ８の各ローラ本体９Ｌ，９Ｒの周速ＶＨ，ＶＭが、共に上記送り速度保持ローラ７によるガラス連続シート１のシート送り速度ＶＬよりも速く設定してあるので、上記ガラス連続シート１より速やかに引き離された後、上記裂き割りローラ８のシート送り方向ｘの下流側に搬出手段として設けてあるコロコンベヤ２５により、予め設定された所定個所へ向けて搬送される。
【００７３】
その後、上記ロール２より繰り出されるガラス連続シート１にて、予め設定してある切断線５の個所毎に、上記スクライバ６による切断線５に沿う傷の形成と、上記送り速度保持ローラ７と裂き割りローラ８との間での上記傷が形成してある切断線５の個所での分割の処理が順次繰り返して行われることにより、上記ガラス連続シート１よりガラス枚葉シート４の切り出しが連続的に行われるようになる。
【００７４】
このように、本発明のガラスシート切断装置によれば、ガラス連続シート１からのガラス枚葉シート４の切り出しを連続的に行うことができる。
【００７５】
又、上記ガラス連続シート１からガラス枚葉シート４を切り出すための力の付与は、該ガラス連続シート１における上記送り速度保持ローラ７と上記裂き割りローラ８との間に配置された部分に対して、上記送り速度保持ローラ７によるシート送り速度ＶＬと、上記裂き割りローラ８の各ローラ本体９Ｌ，９Ｒの周速ＶＨ，ＶＭとの速度差に基づく張力を与えることで実現できるため、上記ガラス連続シート１に対して折り曲げ力を付与する必要をなくすことができる。
【００７６】
このため、本発明のガラスシート切断装置では、ガラス連続シート１に折り曲げ力を付与するために従来必要とされていた該ガラス連続シート１の面に対して垂直な方向へ往復動作させる部材を不要にすることができる。
【００７７】
しかも、送り速度保持ローラ７と上記裂き割りローラ８の回転速度は、部材を往復動作させる場合に比して、安定した高速化を容易に図ることができる。よって、本発明のガラスシート切断装置では、上記ガラス連続シート１からのガラス枚葉シート４の切り出しの高速化を図ることができる。
【００７８】
なお、上記においては、裂き割りローラ８にて、シート幅方向ｙに配列された各ローラ本体９Ｌと９Ｒを、常に周速ＶＨとＶＭで回転駆動するものとして示したが、たとえば、制御装置２４により、通常は、上記裂き割りローラ８の各ローラ本体９Ｌと９Ｒを、上記送り速度保持ローラ７によるガラス連続シート１のシート送り速度ＶＬと一致した周速となるように回転駆動させておき、上記ガラス連続シート１におけるスクライバ６で切断線５に沿う傷を形成した個所が、上記送り速度保持ローラ７と裂き割りローラ８との間に配置されるタイミングで、上記裂き割りローラ８の各ローラ本体９Ｌと９Ｒを、上記送り速度保持ローラ７によるシート送り速度ＶＬよりも早い上記所定の周速ＶＨとＶＭになるように加速させるようにしてもよい。
【００７９】
このようにしても、上記ガラス連続シート１におけるスクライバ６で切断線５に沿う傷を形成した個所が、上記送り速度保持ローラ７と裂き割りローラ８との間に配置されると、該ガラス連続シート１の上記傷が形成してある切断線５の個所を裂くように分割させて、該ガラス連続シート１の上記切断線５よりも先端側に位置していた部分を、ガラス枚葉シート４として切り出すことができる。よって、この場合にも、上記と同様の効果を得ることができる。
【００８０】
この場合は、上記切り出されたガラス枚葉シート４が上記裂き割りローラ８を通過した時点で、該裂き割りローラ８の各ローラ本体９Ｌ，９Ｒの周速を、通常の周速に戻すようにすればよい。又、上記ガラス連続シート１における切断線５に沿う傷を形成した個所が上記送り速度保持ローラ７と裂き割りローラ８との間に配置されるタイミングの検出は、たとえば、上記スクライバ６から上記送り速度保持ローラ７までの距離と、シート送り速度ＶＬを基に、上記スクライバ６でガラス連続シート１に傷を形成した個所が、上記送り速度保持ローラ７と裂き割りローラ８との間に配置されるようになるまでの経過時間を算出したり、上記ガラス連続シート１に形成した傷を検出する図示しないセンサを用いて、上記送り速度保持ローラ７と裂き割りローラ８との間にて、上記ガラス連続シート１の切断線５に沿う傷を形成した個所を直接検出する等、任意の検出手法を採用してよいことは勿論である。
【００８１】
なお、本発明は上記実施の形態のみに限定されるものではなく、裂き割りローラ８におけるシート幅方向ｙの一端寄りのローラ本体９Ｌと、シート幅方向ｙの他端寄りのローラ本体９Ｒについて、それぞれに設定されている周速ＶＨとＶＭを入れ替えるようにしてもよい。この場合、上記裂き割りローラ８のシート送り方向ｘの下流側に設ける搬出手段であるコロコンベヤ２５に装備して該裂き割りローラ８にて切り出されるガラス枚葉シート４の姿勢を補正するため姿勢補正ガイド２６の向きを、シート幅方向ｙの両側で反転させるようにすればよい。
【００８２】
又、上記裂き割りローラ８におけるシート幅方向ｙに配列するローラ本体の数は、ガラス連続シート１の幅寸法等に応じて、３以上としてもよい。この場合、上記裂き割りローラ８における各ローラ本体の周速は、送り速度保持ローラ７によるシート送り速度ＶＬよりも速いという条件の下で、各ローラ本体のシート幅方向ｙの配置と配列順序に応じて、該各ローラ本体の周速に、遅速の傾斜を設けるようにすればよい。
【００８３】
シート送り出しローラ３、及び、送り速度保持ローラ７におけるシート幅方向ｙのローラ本体１０の配列数、及び、コロコンベヤ２５におけるシート幅方向ｙのコロの配列数は、ガラス連続シート１の幅寸法や、上記ローラ本体１０やコロのシート幅方向ｙの長さ寸法に応じて自在に変更してもよい。
【００８４】
上記実施の形態では、ガラス連続シート１の送り方向ｘを水平方向とした場合について示したが、該ガラス連続シート１の送り方向は、上方から下方へ向けて垂直でもよく、又、送り方向の上流側が下流側よりも高くなるように傾斜していてもよい。更には、ガラス連続シート１より切り出されるガラス枚葉シート４が裂き割りローラ８を通過した時点で、該ガラス枚葉シート４を確実に搬出することができるようにしてあれば、上記ガラス連続シート１の送り方向は、送り方向の下流側が上流側よりも高くなるように傾斜していてもよい。
【００８５】
ガラス連続シート１のロール２より繰り出されるガラス連続シート１に代えて、ガラス連続シート１を生産する製造設備より連続的に送り出されるガラス連続シート１から、ガラス枚葉シート４を切り出す場合に適用してもよい。
【００８６】
スクライバ６にてガラス連続シート１に切断線５に沿って傷を形成する際に、後の工程で該傷の個所に生じさせるクラックの起端側となる上記切断線５のシート幅方向ｙの一端側の端部に、シート幅方向ｙの他の部分よりも深く傷を入れるようにしてもよい。
【００８７】
裂き割りローラ８のシート送り方向ｘの下流側に設ける搬出手段は、該裂き割りローラ８の部分でガラス連続シート１より切り出されるガラス枚葉シート４を、予め設定してある所定の利用先に向けて搬送することができるようにしてあれば、搬送用のロボット等、コロコンベヤ２５以外のいかなる形式の搬送手段を採用してもよい。
【００８８】
ガラス連続シート１の幅寸法や、切り出されるガラス枚葉シート４の縦横比、更には、シート送り出しローラ３、送り速度保持ローラ７、裂き割りローラ８におけるローラ本体１０，９Ｌ，９Ｒ、及び、コロコンベヤ２５のコロの径寸法並びに軸心方向寸法は、いずれも図示するための便宜的なものであり、実際の寸法を反映したものではない。
【００８９】
その他本発明の要旨を逸脱しない範囲内で種々変更を加え得ることは勿論である。
【符号の説明】
【００９０】
１  ガラス連続シート
３  シート送り出しローラ
６  スクライバ
７  送り速度保持ローラ
８  裂き割りローラ
９Ｌ，９Ｒ  ローラ本体
ＶＬ  シート送り速度
ＶＭ  周速
ＶＨ  周速
ｘ  シート送り方向
ｙ  シート幅方向
【図１】
0005760904.tif 000002
【図２】
0005760904.tif 000003
【図３】
0005760904.tif 000004